【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ルーマ成分に関する初期量子化パラメータ（ＱＰ）を決定することと、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定することと、
前記ルーマ成分に関する前記最終ＱＰに基づいて、前記ＣＵに関する係数ブロックを逆量子化すること、ここで、前記ＣＵに関する前記係数ブロックは前記ルーマ成分のサンプル値に基づく、と、
残差ブロックを生成するために前記係数ブロックに逆変換を適用することと、
前記残差ブロックと予測ブロックを加算することによって復号ビデオブロックを形成することと、
前記復号ビデオブロックのルーマエッジの境界強度を決定すること、ここにおいて、前記ルーマエッジの前記境界強度は前記ルーマ成分に関する前記最終ＱＰに依存する、と、
前記ルーマエッジの前記境界強度が第１のしきい値を満たさないことに基づいて、前記ルーマエッジに対してデブロッキングフィルタリングプロセスを実施することと、
を備える方法。
【請求項２】
前記ルーマ成分に関する前記ＱＰオフセットは、ピクチャパラメータセット、シーケンスパラメータセット、およびスライスヘッダのうちの１つの中でシグナリングされる、請求項１に記載の方法。
【請求項３】
前記ルーマ成分は複数の色成分のうちの第１の色成分であり、前記ＱＰオフセットは第１のＱＰオフセットであり、前記ＱＰは第１のＱＰであり、前記第１の色成分に関する前記第１のＱＰに関する前記第１のＱＰオフセットは、第２の色成分に関する第２のＱＰに関する第２のＱＰオフセットに等しく、前記第１のＱＰオフセットは、第３の色成分に関する第３のＱＰに関する第３のＱＰオフセットよりも小さい、請求項１に記載の方法。
【請求項４】
クロマ成分に関する初期ＱＰを決定することと、
前記クロマ成分に関する最終ＱＰが前記クロマ成分の前記初期ＱＰと前記クロマ成分に関する非ゼロＱＰオフセットの和に等しくなるように、前記クロマ成分に関する前記最終ＱＰを設定することと、
前記デブロッキングフィルタプロセスを実施することの一部として、前記復号ビデオブロックのクロマエッジの境界強度を決定すること、ここにおいて、前記クロマエッジに関する前記境界強度は前記クロマ成分に関する前記最終ＱＰに依存する、と、
をさらに備える、請求項１に記載の方法。
【請求項５】
前記ＣＵが第１のＣＵであり、前記方法は、
有効にされた前記色空間変換を用いて符号化されていない第２のＣＵのルーマ成分に関する第２のＱＰを決定することと、
前記ルーマ成分に関する前記第２のＱＰに基づいて、前記第２のＣＵの係数ブロックを逆量子化すること、ここで、前記第２のＣＵの前記係数ブロックは前記ルーマ成分のサンプル値に基づく、と、
前記第２のＣＵの前記１つまたは複数の逆量子化された係数ブロックの各々に基づいて、前記第２のＣＵを再構築することと、
をさらに備える、請求項１に記載の方法。
【請求項６】
前記ＣＵの符号化モードに依存する前記ルーマ成分に関する異なるＱＰオフセットを選択すること
をさらに備える、請求項１に記載の方法。
【請求項７】
前記ルーマ成分に関する前記ＱＰオフセットが、前記ＣＵの前記符号化モードがイントラモードまたはイントラブロックコピー（ＢＣ）モードであるときは第１の値に等しく、前記ＣＵの前記符号化モードがインターモードであるときは第２の値に等しくなるように、前記ルーマ成分に関する前記ＱＰオフセットを決定すること、ここで、前記第１の値は前記第２の値とは異なる、
をさらに備える、請求項６に記載の方法。
【請求項８】
前記ルーマ成分に関する前記ＱＰオフセットが、前記ＣＵの前記符号化モードがイントラモードであるときは第１の値に等しく、前記ＣＵの前記符号化モードがイントラブロックコピー（ＢＣ）モードまたはインターモードであるときは第２の値に等しくなるように、前記成分に関する前記ＱＰオフセットを決定すること、ここで、前記第１の値は前記第２の値とは異なる、
をさらに備える、請求項６に記載の方法。
【請求項９】
前記ルーマ成分は複数の色成分のうちの第１の色成分であり、ここにおいて、前記複数の色成分は３つの色成分を備え、それぞれのＱＰオフセットは前記３つの色成分の各々に関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項１に記載の方法。
【請求項１０】
前記ルーマ成分に関する前記ＱＰオフセットは、前記ＣＵのスライスタイプ、Ｉスライスタイプ、Ｐスライスタイプ、またはＢスライスタイプかどうかに依存する、請求項１に記載の方法。
【請求項１１】
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプまたは前記Ｂスライスタイプであるときは第２の値に等しいと決定すること、ここで、前記第１の値は前記第２の値とは異なる、
をさらに備える、請求項１０に記載の方法。
【請求項１２】
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプであるときは第２の値に等しく、前記ＣＵの前記スライスタイプが前記Ｂスライスタイプであるときは第３の値に等しいと決定すること、ここで、前記第１の値は前記第２の値とは異なり、前記第２の値は前記第３の値とは異なり、前記第１の値は前記第３の値とは異なる、
をさらに備える、請求項１０に記載の方法。
【請求項１３】
前記色空間変換の入力データはＮビットの精度を有し、イントラ／インター予測の後の前記ＣＵに関する残差データは［−２N，２N−１］の範囲内であり、前記残差データは前記残差ブロックを含み、前記方法は、
変換された残差データを生成するために前記色空間変換を実施した後、前記変換された残差データが前記範囲内であるように、前記変換された残差データをクリップすること
をさらに備える、請求項１に記載の方法。
【請求項１４】
前記ＣＵがイントラコーディングモードでコーディングされるかどうかを決定することと、前記ＣＵが前記イントラコーディングモードでコーディングされると決定したことに応答して、
イントラ予測モードインジケータに基づいて、同じクロマ予測モードを使って、前記ＣＵのすべてのクロマブロックを予測することと、
前記ＣＵがただ１つの予測ユニット（ＰＵ）を有することに基づいて、同じルーマ予測モードを使って前記ＣＵのすべてのルーマブロックを予測すること、ここにおいて、前記同じルーマ予測モードは、前記同じクロマ予測モードと同じである、と、
前記ＣＵが複数のＰＵを有することに基づいて、前記同じルーマ予測モードを使って、前記複数のＰＵのうちの第１のＰＵの第１のルーマブロックを予測することと、
をさらに備える、請求項１に記載の方法。
【請求項１５】
ビデオデータを復号するためのデバイスであって、
前記ビデオデータを記憶するように構成されたメモリと、
１つまたは複数のプロセッサであって、
ルーマ成分に関する初期量子化パラメータ（ＱＰ）を決定し、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定し、
前記ルーマ成分に関する前記最終ＱＰに基づいて、前記ＣＵに関する係数ブロックを逆量子化し、ここで、前記ＣＵに関する前記係数ブロックは前記ルーマ成分のサンプル値に基づき、
残差ブロックを生成するために前記係数ブロックに逆変換を適用し、
前記残差ブロックと予測ブロックを加算することによって復号ビデオブロックを形成し、
前記復号ビデオブロックのルーマエッジの境界強度を決定し、ここにおいて、前記ルーマエッジの前記境界強度は前記ルーマ成分に関する前記最終ＱＰに依存し、
前記ルーマエッジの前記境界強度が第１のしきい値を満たさないことに基づいて、前記ルーマエッジに対してデブロッキングフィルタリングプロセスを実施し、
を行うように構成される１つまたは複数のプロセッサと、
を備える、デバイス。
【請求項１６】
前記ルーマ成分に関する前記ＱＰオフセットは、ピクチャパラメータセット、シーケンスパラメータセット、およびスライスヘッダのうちの１つの中でシグナリングされる、請求項１５に記載のデバイス。
【請求項１７】
前記ルーマ成分は複数の色成分のうちの第１の色成分であり、前記ＱＰオフセットは第１のＱＰオフセットであり、前記ＱＰは第１のＱＰであり、前記第１の色成分に関する前記第１のＱＰに関する前記第１のＱＰオフセットは、第２の色成分に関する第２のＱＰに関する第２のＱＰオフセットに等しく、前記第１のＱＰオフセットは、第３の色成分に関する第３のＱＰに関する第３のＱＰオフセットよりも小さい、請求項１５に記載のデバイス。
【請求項１８】
前記１つまたは複数のプロセッサは、
クロマ成分に関する初期ＱＰを決定し、
前記クロマ成分に関する最終ＱＰが前記クロマ成分の前記初期ＱＰと前記クロマ成分に関する非ゼロＱＰオフセットの和に等しくなるように、前記クロマ成分に関する前記最終ＱＰを設定し、
前記デブロッキングフィルタプロセスを実施することの一部として、前記復号ビデオブロックのクロマエッジの境界強度を決定する、ここにおいて、前記クロマエッジに関する前記境界強度は前記クロマ成分に関する前記最終ＱＰに依存する、
ようにさらに構成される、請求項１５に記載のデバイス。
【請求項１９】
前記ＣＵは第１のＣＵであり、前記１つまたは複数のプロセッサは、
有効にされた前記色空間変換を用いて符号化されていない第２のＣＵのルーマ成分に関する第２のＱＰを決定し、
前記ルーマ成分に関する前記第２のＱＰに基づいて、前記第２のＣＵの係数ブロックを逆量子化し、ここで、前記第２のＣＵの前記係数ブロックは前記ルーマ成分のサンプル値に基づき、
前記第２のＣＵの前記１つまたは複数の逆量子化された係数ブロックの各々に基づいて、前記第２のＣＵを再構築する、
ようにさらに構成される、請求項１５に記載のデバイス。
【請求項２０】
前記ルーマ成分に関する前記ＱＰオフセットは前記ＣＵの符号化モードに依存する、請求項１５に記載のデバイス。
【請求項２１】
前記１つまたは複数のプロセッサは、前記ルーマ成分に関する前記ＱＰオフセットが、前記ＣＵの前記符号化モードがイントラモードまたはイントラブロックコピー（ＢＣ）モードであるときは第１の値に等しく、前記ＣＵの前記符号化モードがインターモードであるときは第２の値に等しくなるように、前記ルーマ成分に関する前記ＱＰオフセットを決定し、ここで、前記第１の値は前記第２の値とは異なる、
ようにさらに構成される、請求項２０に記載のデバイス。
【請求項２２】
前記１つまたは複数のプロセッサは、前記ルーマ成分に関する前記ＱＰオフセットが、前記ＣＵの前記符号化モードがイントラモードであるときは第１の値に等しく、前記ＣＵの前記符号化モードがイントラブロックコピー（ＢＣ）モードまたはインターモードであるときは第２の値に等しくなるように、前記成分に関する前記ＱＰオフセットを決定し、ここで、前記第１の値は前記第２の値とは異なる、
ようにさらに構成される、請求項２０に記載のデバイス。
【請求項２３】
前記ルーマ成分は複数の色成分のうちの第１の色成分であり、ここにおいて、前記複数の色成分は３つの色成分を備え、それぞれのＱＰオフセットは前記３つの色成分の各々に関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項１５に記載のデバイス。
【請求項２４】
前記ルーマ成分に関する前記ＱＰオフセットは、前記ＣＵのスライスタイプ、Ｉスライスタイプ、Ｐスライスタイプ、またはＢスライスタイプかどうかに依存する、請求項１５に記載のデバイス。
【請求項２５】
前記１つまたは複数のプロセッサは、
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプまたは前記Ｂスライスタイプであるときは第２の値に等しいと決定し、ここで、前記第１の値は前記第２の値とは異なる、
ようにさらに構成される、請求項２４に記載のデバイス。
【請求項２６】
前記１つまたは複数のプロセッサは、
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプであるときは第２の値に等しく、前記ＣＵの前記スライスタイプが前記Ｂスライスタイプであるときは第３の値に等しいと決定し、ここで、前記第１の値は前記第２の値とは異なり、前記第２の値は前記第３の値とは異なり、前記第１の値は前記第３の値とは異なる、
ようにさらに構成される、請求項２４に記載のデバイス。
【請求項２７】
前記色空間変換の入力データはＮビットの精度を有し、イントラ／インター予測の後の前記ＣＵに関する残差データは［−２N，２N−１］の範囲内であり、前記残差データは前記残差ブロックを含み、前記１つまたは複数のプロセッサは、
変換された残差データを生成するために、前記色空間変換を実施した後、前記変換された残差データが前記範囲内であるように、前記変換された残差データをクリップする
ようにさらに構成される、請求項１５に記載のデバイス。
【請求項２８】
前記１つまたは複数のプロセッサは、
前記ＣＵがイントラコーディングモードでコーディングされると決定したことに応答して、
同じクロマ予測モードを使って、前記ＣＵのすべてのクロマブロックを予測し、
前記ＣＵがただ１つの予測ユニット（ＰＵ）を有することに基づいて、同じルーマ予測モードを使って前記ＣＵのすべてのルーマブロックを予測し、ここにおいて、前記同じルーマ予測モードは、前記同じクロマ予測モードと同じであり、
前記ＣＵが複数のＰＵを有することに基づいて、前記同じルーマ予測モードを使って、前記複数のＰＵのうちの第１のＰＵの第１のルーマブロックを予測する、
ようにさらに構成される、請求項１５に記載のデバイス。
【請求項２９】
前記デバイスは、
集積回路、
マイクロプロセッサ、または
ワイヤレス通信デバイスのうちの少なくとも１つを備える、請求項１５に記載のデバイス。
【請求項３０】
前記ビデオデータの復号ピクチャを表示するように構成されたディスプレイをさらに備える、請求項１５に記載のデバイス。
【請求項３１】
ビデオデータを復号するためのデバイスであって、
ルーマ成分に関する初期量子化パラメータ（ＱＰ）を決定するための手段と、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定するための手段と、
前記ルーマ成分に関する前記最終ＱＰに基づいて、前記ＣＵに関する係数ブロックを逆量子化するための手段、ここで、前記ＣＵに関する前記係数ブロックは前記ルーマ成分のサンプル値に基づく、と、
残差ブロックを生成するために前記係数ブロックに逆変換を適用するための手段と、
前記残差ブロックと予測ブロックを加算することによって復号ビデオブロックを形成するための手段と、
前記復号ビデオブロックのルーマエッジの境界強度を決定するための手段、ここにおいて、前記ルーマエッジの前記境界強度は前記ルーマ成分に関する前記最終ＱＰに依存する、と、
前記ルーマエッジの前記境界強度が第１のしきい値を満たさないことに基づいて、前記ルーマエッジに対してデブロッキングフィルタリングプロセスを実施するための手段と、
を備えるデバイス。
【請求項３２】
前記ルーマ成分に関する前記ＱＰオフセットは、ピクチャパラメータセット、シーケンスパラメータセット、およびスライスヘッダのうちの１つの中でシグナリングされる、請求項３１に記載のデバイス。
【請求項３３】
前記ルーマ成分は複数の色成分のうちの第１の色成分であり、ここにおいて、前記複数の色成分は３つの色成分を備え、それぞれのＱＰオフセットは前記３つの色成分の各々に関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項３１に記載のデバイス。
【請求項３４】
前記ＣＵがイントラコーディングモードでコーディングされると決定したことに応答して、
同じクロマ予測モードを使って、前記ＣＵのすべてのクロマブロックを予測するための手段と、
前記ＣＵがただ１つの予測ユニット（ＰＵ）を有することに基づいて、同じルーマ予測モードを使って前記ＣＵのすべてのルーマブロックを予測するための手段、ここにおいて、前記同じルーマ予測モードは、前記同じクロマ予測モードと同じである、と、
前記ＣＵが複数のＰＵを有することに基づいて、前記同じルーマ予測モードを使って、前記複数のＰＵのうちの第１のＰＵの第１のルーマブロックを予測するための手段と、
をさらに備える、請求項３１に記載のデバイス。
【請求項３５】
命令で符号化されたコンピュータ可読記憶媒体であって、前記命令は、実行されると、１つまたは複数のプロセッサに、
ルーマ成分に関する初期量子化パラメータ（ＱＰ）を決定させ、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定させ、
前記ルーマ成分に関する前記最終ＱＰに基づいて、前記ＣＵに関する係数ブロックを逆量子化させ、ここで、前記ＣＵに関する前記係数ブロックは前記ルーマ成分のサンプル値に基づき、
残差ブロックを生成するために前記係数ブロックに逆変換を適用させ、
前記残差ブロックと予測ブロックを加算することによって復号ビデオブロックを形成させ、
前記復号ビデオブロックのルーマエッジの境界強度を決定させ、ここにおいて、前記ルーマエッジの前記境界強度は前記ルーマ成分に関する前記最終ＱＰに依存し、
前記ルーマエッジの前記境界強度が第１のしきい値を満たさないことに基づいて、前記ルーマエッジに対してデブロッキングフィルタリングプロセスを実施させる、
コンピュータ可読記憶媒体。
【請求項３６】
前記ルーマ成分に関する前記ＱＰオフセットは、ピクチャパラメータセット、シーケンスパラメータセット、およびスライスヘッダのうちの１つの中でシグナリングされる、請求項３５に記載のコンピュータ可読記憶媒体。
【請求項３７】
前記ルーマ成分は複数の色成分のうちの第１の色成分であり、ここにおいて、前記複数の色成分は３つの色成分を備え、それぞれのＱＰオフセットは前記３つの色成分の各々に関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項３５に記載のコンピュータ可読記憶媒体。
【請求項３８】
前記命令は、前記１つまたは複数のプロセッサにさらに、
前記ＣＵがイントラコーディングモードでコーディングされると決定したことに応答して、
同じクロマ予測モードを使って、前記ＣＵのすべてのクロマブロックを予測させ、
前記ＣＵがただ１つの予測ユニット（ＰＵ）を有することに基づいて、同じルーマ予測モードを使って前記ＣＵのすべてのルーマブロックを予測させ、ここにおいて、前記同じルーマ予測モードは、前記同じクロマ予測モードと同じであり、
前記ＣＵが複数のＰＵを有することに基づいて、前記同じルーマ予測モードを使って、前記複数のＰＵのうちの第１のＰＵの第１のルーマブロックを予測させる、
請求項３５に記載のコンピュータ可読記憶媒体。
【請求項３９】
ビデオデータを符号化する方法であって、
ルーマ成分に関する初期量子化パラメータ（ＱＰ）を決定することと、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定することと、
前記ルーマ成分に関する前記最終ＱＰに基づいて、前記ＣＵに関する係数ブロックを量子化すること、ここで、前記ＣＵに関する前記係数ブロックは前記ルーマ成分のサンプル値に基づく、と、
残差ブロックを生成するために前記係数ブロックに変換を適用することと、
前記符号化ビデオブロックのルーマエッジの境界強度を決定すること、ここにおいて、前記ルーマエッジの前記境界強度は前記ルーマ成分に関する前記最終ＱＰに依存する、と、
前記ルーマエッジの前記境界強度が第１のしきい値を満たさないことに基づいて、前記ルーマエッジに対してデブロッキングフィルタリングプロセスを実施することと、
ビデオデータのビットストリーム中の前記残差ブロックを符号化することと、
を備える方法。
【請求項４０】
前記ルーマ成分に関する前記ＱＰオフセットは、ピクチャパラメータセット、シーケンスパラメータセット、およびスライスヘッダのうちの１つの中でシグナリングされる、請求項３９に記載の方法。
【請求項４１】
前記ルーマ成分は複数の色成分のうちの第１の色成分であり、前記ＱＰオフセットは第１のＱＰオフセットであり、前記ＱＰは第１のＱＰであり、前記第１の色成分に関する前記第１のＱＰに関する前記第１のＱＰオフセットは、第２の色成分に関する第２のＱＰに関する第２のＱＰオフセットに等しく、前記第１のＱＰオフセットは、第３の色成分に関する第３のＱＰに関する第３のＱＰオフセットよりも小さい、請求項３９に記載の方法。
【請求項４２】
クロマ成分に関する初期ＱＰを決定することと、
前記クロマ成分に関する最終ＱＰが前記クロマ成分の前記初期ＱＰと前記クロマ成分に関する非ゼロＱＰオフセットの和に等しくなるように、前記クロマ成分に関する前記最終ＱＰを設定することと、
前記デブロッキングフィルタプロセスを実施することの一部として、前記符号化ビデオブロックのクロマエッジの境界強度を決定すること、ここにおいて、前記クロマエッジに関する前記境界強度は前記クロマ成分に関する前記最終ＱＰに依存する、と、
をさらに備える、請求項３９に記載の方法。
【請求項４３】
前記ＣＵが第１のＣＵであり、前記方法は、
有効にされた前記色空間変換を用いて符号化されていない第２のＣＵのルーマ成分に関する第２のＱＰを決定することと、
前記ルーマ成分に関する前記第２のＱＰに基づいて、前記第２のＣＵの係数ブロックを量子化すること、ここで、前記第２のＣＵの前記係数ブロックは前記ルーマ成分のサンプル値に基づく、と、
前記量子化された第２の係数ブロックの各々を表す１つまたは複数のエントロピー符号化シンタックス要素の第２のセットを備える前記ビデオデータのビットストリームを出力することと、
をさらに備える、請求項３９に記載の方法。
【請求項４４】
前記ルーマ成分に関する前記ＱＰオフセットは前記ＣＵの符号化モードに依存する、請求項３９に記載の方法。
【請求項４５】
前記ルーマ成分に関する前記ＱＰオフセットが、前記ＣＵの前記符号化モードがイントラモードまたはイントラブロックコピー（ＢＣ）モードであるときは第１の値に等しく、前記ＣＵの前記符号化モードがインターモードであるときは第２の値に等しくなるように、前記ルーマ成分に関する前記ＱＰオフセットを決定すること、ここで、前記第１の値は前記第２の値とは異なる、
をさらに備える、請求項４４に記載の方法。
【請求項４６】
前記ルーマ成分に関する前記ＱＰオフセットが、前記ＣＵの前記符号化モードがイントラモードであるときは第１の値に等しく、前記ＣＵの前記符号化モードがイントラブロックコピー（ＢＣ）モードまたはインターモードであるときは第２の値に等しくなるように、前記成分に関する前記ＱＰオフセットを決定すること、ここで、前記第１の値は前記第２の値とは異なる、
をさらに備える、請求項４４に記載の方法。
【請求項４７】
前記ルーマ成分は複数の色成分のうちの第１の色成分であり、ここにおいて、前記複数の色成分は３つの色成分を備え、それぞれのＱＰオフセットは前記３つの色成分の各々に関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項３９に記載の方法。
【請求項４８】
前記ルーマ成分について、前記色成分に関する前記ＱＰオフセットは、前記ＣＵのスライスタイプ、Ｉスライスタイプ、Ｐスライスタイプ、またはＢスライスタイプかどうかに依存する、請求項３９に記載の方法。
【請求項４９】
前記色空間変換の入力データはＮビットの精度を有し、イントラ／インター予測の後の前記ＣＵに関する残差データは［−２N，２N−１］の範囲内であり、前記残差データは前記残差ブロックを含み、前記方法は、
変換された残差データを生成するために前記色空間変換を実施した後、前記変換された残差データが前記範囲内であるように、前記変換された残差データをクリップすること
をさらに備える、請求項３９に記載の方法。
【請求項５０】
前記ＣＵがイントラコーディングモードでコーディングされると決定したことに応答して、
同じクロマ予測モードを使って、前記ＣＵのすべてのクロマブロックを予測することと、
前記ＣＵがただ１つの予測ユニット（ＰＵ）を有することに基づいて、同じルーマ予測モードを使って前記ＣＵのすべてのルーマブロックを予測すること、ここにおいて、前記同じルーマ予測モードは、前記同じクロマ予測モードと同じである、と、
前記ＣＵが複数のＰＵを有することに基づいて、前記同じルーマ予測モードを使って、前記複数のＰＵのうちの第１のＰＵの第１のルーマブロックを予測することと、
をさらに備える、請求項３９に記載の方法。
【請求項５１】
ビデオデータを符号化するためのデバイスであって、
前記ビデオデータを記憶するように構成されたデータ記憶媒体と、
１つまたは複数のプロセッサであって、
ルーマ成分に関する初期量子化パラメータ（ＱＰ）を決定し、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定し、
前記ルーマ成分に関する前記最終ＱＰに基づいて、前記ＣＵに関する係数ブロックを量子化し、ここで、前記ＣＵに関する前記係数ブロックは前記ルーマ成分のサンプル値に基づき、
残差ブロックを生成するために前記係数ブロックに変換を適用し、
前記符号化ビデオブロックのルーマエッジの境界強度を決定し、ここにおいて、前記ルーマエッジの前記境界強度は前記ルーマ成分に関する前記最終ＱＰに依存し、
前記ルーマエッジの前記境界強度が第１のしきい値を満たさないことに基づいて、前記ルーマエッジに対してデブロッキングフィルタリングプロセスを実施し、
ビデオデータのビットストリーム中の前記残差ブロックを符号化する、
ように構成される１つまたは複数のプロセッサと、
を備えるデバイス。
【請求項５２】
前記ルーマ成分に関する前記ＱＰオフセットは、ピクチャパラメータセット、シーケンスパラメータセット、およびスライスヘッダのうちの１つの中でシグナリングされる、請求項５１に記載のデバイス。
【請求項５３】
前記ルーマ成分は複数の色成分のうちの第１の色成分であり、前記ＱＰオフセットは第１のＱＰオフセットであり、前記ＱＰは第１のＱＰであり、前記第１の色成分に関する前記第１のＱＰに関する前記第１のＱＰオフセットは、第２の色成分に関するパラメータＱＰに関する第２のＱＰオフセットに等しく、前記第１のＱＰオフセットは、第３の色成分に関する第３のＱＰに関する第３のＱＰオフセットよりも小さい、請求項５１に記載のデバイス。
【請求項５４】
前記１つまたは複数のプロセッサは、
クロマ成分に関する初期ＱＰを決定し、
前記クロマ成分に関する最終ＱＰが前記クロマ成分の前記初期ＱＰと前記クロマ成分に関する非ゼロＱＰオフセットの和に等しくなるように、前記クロマ成分に関する前記最終ＱＰを設定し、
前記デブロッキングフィルタプロセスを実施することの一部として、前記符号化ビデオブロックのクロマエッジの境界強度を決定する、ここにおいて、前記クロマエッジに関する前記境界強度は前記クロマ成分に関する前記最終ＱＰに依存する、
ようにさらに構成される、請求項５１に記載のデバイス。
【請求項５５】
前記ＣＵは第１のＣＵであり、前記１つまたは複数のプロセッサは、
有効にされた前記色空間変換を用いて符号化されていない第２のＣＵのルーマ成分に関する第２のＱＰを決定し、
前記ルーマ成分に関する前記第２のＱＰに基づいて、前記第２のＣＵの係数ブロックを量子化し、ここで、前記第２のＣＵの前記係数ブロックは前記ルーマ成分のサンプル値に基づき、
前記量子化された第２の係数ブロックの各々を表す１つまたは複数のエントロピー符号化シンタックス要素の第２のセットを備える前記ビデオデータのビットストリームを出力する、
ようにさらに構成される、請求項５１に記載のデバイス。
【請求項５６】
前記ルーマ成分に関する前記ＱＰオフセットは前記ＣＵの符号化モードに依存する、請求項５１に記載のデバイス。
【請求項５７】
前記１つまたは複数のプロセッサは、前記ルーマ成分に関する前記ＱＰオフセットが、前記ＣＵの前記符号化モードがイントラモードまたはイントラブロックコピー（ＢＣ）モードであるときは第１の値に等しく、前記ＣＵの前記符号化モードがインターモードであるときは第２の値に等しくなるように、前記ルーマ成分に関する前記ＱＰオフセットを決定し、ここで、前記第１の値は前記第２の値とは異なる、
ようにさらに構成される、請求項５６に記載のデバイス。
【請求項５８】
前記１つまたは複数のプロセッサは、前記ルーマ成分に関する前記ＱＰオフセットが、前記ＣＵの前記符号化モードがイントラモードであるときは第１の値に等しく、前記ＣＵの前記符号化モードがイントラブロックコピー（ＢＣ）モードまたはインターモードであるときは第２の値に等しくなるように、前記成分に関する前記ＱＰオフセットを決定し、ここで、前記第１の値は前記第２の値とは異なる、
ようにさらに構成される、請求項５６に記載のデバイス。
【請求項５９】
前記ルーマ成分は複数の色成分のうちの第１の色成分であり、ここにおいて、前記複数の色成分は３つの色成分を備え、それぞれのＱＰオフセットは前記３つの色成分の各々に関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項５１に記載のデバイス。
【請求項６０】
前記１つまたは複数のプロセッサは、
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプであるときは第２の値に等しく、前記ＣＵの前記スライスタイプが前記Ｂスライスタイプであるときは第３の値に等しいと決定し、ここで、前記第１の値は前記第２の値とは異なり、前記第２の値は前記第３の値とは異なり、前記第１の値は前記第３の値とは異なる、
ようにさらに構成される、請求項５１に記載のデバイス。
【請求項６１】
前記色空間変換の入力データはＮビットの精度を有し、イントラ／インター予測の後の前記ＣＵに関する残差データは［−２N，２N−１］の範囲内であり、前記残差データは前記残差ブロックを含み、前記１つまたは複数のプロセッサは、
変換された残差データを生成するために前記色空間変換を実施した後、前記変換された残差データが前記範囲内であるように、前記変換された残差データをクリップするようにさらに構成される、
請求項５１に記載のデバイス。
【請求項６２】
前記１つまたは複数のプロセッサは、
前記ＣＵがイントラコーディングモードでコーディングされると決定したことに応答して、
同じクロマ予測モードを使って、前記ＣＵのすべてのクロマブロックを予測し、
前記ＣＵがただ１つの予測ユニット（ＰＵ）を有することに基づいて、同じルーマ予測モードを使って前記ＣＵのすべてのルーマブロックを予測し、ここにおいて、前記同じルーマ予測モードは、前記同じクロマ予測モードと同じであり、
前記ＣＵが複数のＰＵを有することに基づいて、前記同じルーマ予測モードを使って、前記複数のＰＵのうちの第１のＰＵの第１のルーマブロックを予測する、
ようにさらに構成される、請求項５１に記載のデバイス。
【請求項６３】
前記デバイスは、
集積回路、
マイクロプロセッサ、または
ワイヤレス通信デバイスのうちの少なくとも１つを備える、請求項５１に記載のデバイス。
【請求項６４】
前記ビデオデータをキャプチャするように構成されたカメラをさらに備える、請求項５１に記載のデバイス。
【請求項６５】
ビデオデータを符号化するためのデバイスであって、
ルーマ成分に関する初期量子化パラメータ（ＱＰ）を決定するための手段と、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定するための手段と、
前記ルーマ成分に関する前記最終ＱＰに基づいて、前記ＣＵに関する係数ブロックを量子化するための手段、ここで、前記ＣＵに関する前記係数ブロックは前記ルーマ成分のサンプル値に基づく、と、
残差ブロックを生成するために前記係数ブロックに変換を適用するための手段と、
前記符号化ビデオブロックのルーマエッジの境界強度を決定するための手段、ここにおいて、前記ルーマエッジの前記境界強度は前記ルーマ成分に関する前記最終ＱＰに依存する、と、
前記ルーマエッジの前記境界強度が第１のしきい値を満たさないことに基づいて、前記ルーマエッジに対してデブロッキングフィルタリングプロセスを実施するための手段と、
ビデオデータのビットストリーム中の前記残差ブロックを符号化するための手段と、
を備えるデバイス。
【請求項６６】
命令で符号化されたコンピュータ可読記憶媒体であって、前記命令は、実行されると、１つまたは複数のプロセッサに、
ルーマ成分に関する初期量子化パラメータ（ＱＰ）を決定させ、
有効にされた色空間変換を用いて符号化された前記ビデオデータのコーディングユニット（ＣＵ）に関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定させ、
前記ルーマ成分に関する前記最終ＱＰに基づいて、前記ＣＵに関する係数ブロックを量子化させ、ここで、前記ＣＵに関する前記係数ブロックは前記ルーマ成分のサンプル値に基づき、
残差ブロックを生成するために前記係数ブロックに変換を適用させ、
前記符号化ビデオブロックのルーマエッジの境界強度を決定させ、ここにおいて、前記ルーマエッジの前記境界強度は前記ルーマ成分に関する前記最終ＱＰに依存し、
前記ルーマエッジの前記境界強度が第１のしきい値を満たさないことに基づいて、前記ルーマエッジに対してデブロッキングフィルタリングプロセスを実施させ、
ビデオデータのビットストリーム中の前記残差ブロックを符号化させる、
コンピュータ可読記憶媒体。